(57)【要約】【課題】ディフューザーを不要として、シリンダタイプのインフレーターとエアバッグとの接続作業が容易となるエアバッグ装置を提供すること。【解決手段】エアバッグ装置Ｍは、シリンダタイプのインフレーター４が、複数のガス吐出口２０を備えた吐出口側端部１２を、エアバッグ１の筒状のガス流入口部３に挿入させるとともに、クランプ２８を使用して、エアバッグ１と接続される。インフレーターの各ガス吐出口２０は、外周面側開口２１と、ガス流入口部３との接続時に膨張用ガスＧを流し可能な端面側開口２２と、からなる。外周面側開口２１・２１間には、ガス流入口部の内周面３ａを支持可能な支持面部２４が、配設される。吐出口側端部１２には、エアバッグとの非接続時に、内部からの膨張用ガスＧを、インフレーターの軸直交方向Ｙに向かわせて、ガス吐出口の外周面側開口２１から吐出可能とする案内部１３が、配設されている。【選択図】図２
2005104270.tif 000002
【特許請求の範囲】
【請求項１】
シリンダタイプのインフレーターが、複数のガス吐出口を備えた吐出口側端部を、エアバッグの筒状のガス流入口部に挿入させるとともに、内径を狭めて前記ガス流入口部を前記吐出口側端部の外周面に締め付け可能なクランプを使用して、前記エアバッグと接続される構成として、
前記ガス流入口部との接続前では、前記複数のガス吐出口が、膨張用ガスを前記インフレーターの軸直交方向に吐出させる構成としているエアバッグ装置であって、
前記インフレーターの前記各ガス吐出口が、それぞれ、前記吐出口側端部の外周面に開口する外周面側開口と、該外周面側開口に連なって、前記吐出口側端部の端面に開口する端面側開口と、から構成され、
前記インフレーターにおける吐出口側端部の外周面側の前記外周面側開口間に、前記吐出口側端部の端面まで延びて、前記ガス流入口部の内周面を支持可能な支持面部が、配設され、
さらに、前記インフレーターにおける吐出口側端部に、前記吐出口側端部内において、前記インフレーターの軸方向に沿って前記吐出口側端部側に向かう膨張用ガスを、前記インフレーターの軸直交方向に向かわせて、前記ガス吐出口の外周面側開口から吐出可能とする案内部が、配設され、
前記エアバッグのガス流入口部が、前記インフレーターの吐出口側端部に外装されるとともに、前記支持面部に圧接させる前記クランプにより、前記インフレーターと接続されることを特徴とするエアバッグ装置。
【請求項２】
前記インフレーターの吐出口側端部における支持面部の端面側に、前記インフレーターの軸直交方向に隆起する隆起部が、配設され、
前記クランプが、前記インフレーターの軸方向に沿った前記隆起部の内側近傍に、配置されて、前記ガス流入口部を前記インフレーターに接続させることを特徴とする請求項１に記載のエアバッグ装置。                                                                       
【発明の詳細な説明】
【技術分野】
【０００１】
本発明は、シリンダタイプのインフレーターとエアバッグとを備えたエアバッグ装置に関し、特に、インフレーターにおける複数のガス吐出口を備えた吐出口側端部が、エアバッグの筒状のガス流入口部に挿入されて、エアバッグと接続される構成のエアバッグ装置に関する。
【背景技術】
【０００２】
従来、エアバッグ装置として、インフレーターのガス吐出口を備えた吐出口側端部が、エアバッグの筒状のガス流入口部に挿入されて、エアバッグと接続されるものがあった（例えば、特許文献１参照）。
【特許文献１】特開２０００−２２５９１３公報
【発明の開示】
【発明が解決しようとする課題】
【０００３】
しかし、従来のエアバッグ装置におけるシリンダタイプのインフレーターでは、輸送等での安全対策上、エアバッグと接続される前の状態において、万一、複数のガス吐出口から膨張用ガスを吐出させても、推力が相殺されるように、ガス吐出口が、インフレーターの吐出口側端部の外周面に放射状に開口されて、膨張用ガスが、インフレーターの軸直交方向に吐出する構成としていた。
【０００４】
そのため、このようなシリンダタイプのインフレーターを、エアバッグの筒状のガス流入口部に挿入させて、エアバッグと接続させる場合には、吐出口側端部の外周面に開口されたガス吐出口自体を塞がずに接続できるようにする必要が生じ、従来は、有底の円筒状のディフューザーをインフレーターの吐出口側端部に、接続固定していた。このディフューザーは、ガス吐出口から吐出する膨張用ガスを、インフレーターの軸方向に沿って流すように、ガス吐出口の周囲を覆うとともに、ディフューザーの端面側に、ガス流出口を備えて、構成されていた。このようなディフューザーを使用すれば、インフレーターのガス吐出口から吐出する膨張用ガスは、ディフューザーの内部で流れを変更させて、ディフューザーの端面から、インフレーターの軸方向に沿って流出していた。
【０００５】
したがって、従来のエアバッグ装置では、インフレーターにおけるエアバッグとの接続前に、インフレーターにディフューザーを接続固定する作業が必要となり、そして、インフレーターにディフューザーを接続固定した後、エアバッグのガス流入口部を、そのディフューザーの外周面に外装するとともに、クランプで締め付けて、エアバッグとインフレーターとを接続させることとなっており、エアバッグ装置の組付工数が増大していた。
【０００６】
本発明は、上述の課題を解決するものであり、ディフューザーを不要として、シリンダタイプのインフレーターとエアバッグとの接続作業が容易となるエアバッグ装置を提供することを目的とする。
【課題を解決するための手段】
【０００７】
本発明に係るエアバッグ装置は、シリンダタイプのインフレーターが、複数のガス吐出口を備えた吐出口側端部を、エアバッグの筒状のガス流入口部に挿入させるとともに、内径を狭めてガス流入口部を吐出口側端部の外周面に締め付け可能なクランプを使用して、エアバッグと接続される構成として、
ガス流入口部との接続前では、複数のガス吐出口が、膨張用ガスをインフレーターの軸直交方向に吐出させる構成としているエアバッグ装置であって、
インフレーターの各ガス吐出口が、それぞれ、吐出口側端部の外周面に開口する外周面側開口と、外周面側開口に連なって、吐出口側端部の端面に開口する端面側開口と、から構成され、
インフレーターにおける吐出口側端部の外周面側の外周面側開口間に、吐出口側端部の端面まで延びて、ガス流入口部の内周面を支持可能な支持面部が、配設され、
さらに、インフレーターにおける吐出口側端部に、吐出口側端部内において、インフレーターの軸方向に沿って吐出口側端部側に向かう膨張用ガスを、インフレーターの軸直交方向に向かわせて、ガス吐出口の外周面側開口から吐出可能とする案内部が、配設され、
エアバッグのガス流入口部が、インフレーターの吐出口側端部に外装されるとともに、支持面部に圧接させるクランプにより、インフレーターと接続されることを特徴とする。
【０００８】
本発明に係るエアバッグ装置では、インフレーターの吐出口側端部を、エアバッグのガス流入口部に挿入させ、ガス流入口部の外周からクランプで締め付けて、ガス流入口部の内周面を支持面部に圧接させれば、エアバッグとインフレーターとを接続させることができる。そして、接続後、インフレーターが作動すれば、ガス吐出口の外周面側開口がエアバッグのガス流口部の内周面で塞がれていることから、インフレーターの吐出口側端部が内部に膨張用ガスをインフレーターの軸直交方向に流す案内部を備えていても、膨張用ガスは、開口されているガス吐出口の端面側開口から吐出されて、インフレーターの軸方向に沿って、すなわち、ガス流入口部の軸方向に沿って、ディフューザーを使用することなく、エアバッグ内に円滑に流入することとなる。
【０００９】
そして、エアバッグのガス流入口部を接続させる前では、インフレーターが、仮に、ガス吐出口から膨張用ガスを吐出させても、ガス吐出口の外周面側開口がエアバッグのガス流入口部の内周面で塞がれている訳ではないことから、膨張用ガスは、案内部によって、各ガス吐出口の外周面側開口からインフレーターの軸直交方向に沿うように、吐出され、インフレーター自体に推力は生じない。
【００１０】
したがって、本発明に係るエアバッグ装置では、ディフューザーを使用することなく、クランプを使用するだけで、インフレーターとエアバッグとを接続させることができて、両者の接続作業が容易となり、勿論、エアバッグの接続前に、仮にインフレーターが作動しても、インフレーターに推力は生じない。
【００１１】
そして、インフレーターの吐出口側端部における支持面部の端面側に、インフレーターの軸直交方向に隆起する隆起部を配設して、クランプは、インフレーターの軸方向に沿った隆起部の内側近傍に配置させて、ガス流入口部をインフレーターに接続させることが望ましい。
【００１２】
このように構成されていれば、隆起部が、ガス流入口部を介在させた状態で、インフレーターからのクランプの抜け止めを図ることができて、エアバッグとインフレーターとの接続強度を向上させることができる。
【発明を実施するための最良の形態】
【００１３】
以下、本発明の一実施形態を図面に基づいて説明すると、図１〜４に示す実施形態のエアバッグ装置Ｍは、車両のサイドウインドの上方側に配置される頭部保護エアバッグ装置であり、エアバッグ１と、インフレーター４と、を備えて構成されている。なお、このエアバッグ１は、車内側のサイドウインドの上方側に折り畳まれて収納され、インフレーター４は、同じく、車内側のサイドウインドの上方側のボディ側に固定されることとなる。
【００１４】
そして、エアバッグ１は、インフレーター４からの膨張用ガスＧを流入させて、サイドウインドを覆うように膨らむ本体部２と、本体部２に膨張用ガスＧを流入させるための円筒状のガス流入口部３と、を備えて構成されている。ガス流入口部３の内径寸法は、インフレーター５の吐出口側端部１２の外径寸法より、僅かに大きな寸法としている。
【００１５】
インフレーター４は、シリンダタイプとして、複数（実施形態では六個）のガス吐出口２０を備えて構成されている。なお、このインフレーター４は、図１に示すように、ガス吐出口２０を配置させた吐出口側端部１２から離れた端部４ａ側に、作動用信号を入力させて発火するイニシエータ６を配設させている。そして、イニシエータ６の発火によりガス発生剤７が燃焼されて膨張用ガスＧが発生され、この膨張用ガスＧが、バーストディスク８を破り、さらに、バーストディスク１０を破って、充填されていた圧縮気体９とともに、噴出口１１から噴出され、吐出口側端部１２内のガス流路１５を経て、各ガス吐出口２０から吐出されることとなる。
【００１６】
そして、実施形態の場合、インフレーター４の吐出口側端部１２は、インフレーター４のハウジング５に固着された案内部１３により構成されている。この案内部１３は、円柱状の本体部１４の内部に、噴出口１１から膨張用ガスＧを、インフレーター４の軸方向Ｘに沿って流すガス流路１５を備えて構成されるとともに、ガス流路１５の下流側には、噴出口１１と対向するように、天井壁部１６を配設させている。そして、案内部１３は、天井壁部１６側の外周面に、端面１２ｂまで延びて放射状に配置される六個の凹溝１７を、配設させている。これらの凹溝１７は、ガス流路１５の近傍まで、凹んでおり、それらの底面１７ａには、二個ずつの貫通孔１８・１８が、天井壁部１６から離れた位置で、インフレーター４の軸直交方向Ｙに沿って、貫通されている。
【００１７】
すなわち、この案内部１３によって、噴出口１３から噴出された膨張用ガスＧは、天井壁部１６と干渉し、全て、各貫通孔１８・１８を経て、インフレーター４の軸直交方向Ｙに沿って吐出されるガスＧＹとして、各凹溝１７内へ吐出されることとなる。
【００１８】
そして、各ガス吐出口２０は、それぞれ、案内部１３の各凹溝１７によって構成されて、吐出口側端部１２の外周面１２ａに開口する外周面側開口２１と、外周面側開口２１に連なって、吐出口側端部１２の端面１２ｂに開口する端面側開口２２と、を備えて構成されることとなる。
【００１９】
また、インフレーター４における吐出口側端部１２の外周面１２ａ側の外周面側開口２１・２１間、すなわち、案内部１３の凹溝１７・１７間には、吐出口側端部１２の端面１２ｂまで延びて、ガス流入口部３の内周面３ａを断続的かつ部分的に支持可能な支持面部２４が、配設されている。
【００２０】
さらに、インフレーター４の吐出口側端部１２における支持面部２４の端面側には、インフレーター４の軸直交方向Ｙに隆起する隆起部２６が、配設されている。
【００２１】
なお、エアバッグ１とインフレーター４との接続時に使用するクランプ２８は、汎用のものであり、円環状のベルト部２８ａと、ベルト部２８ａの両端のフランジ部２８ｂ・２８ｂ相互を、ボルト２８ｃ・ナット２８ｄを使用して、接近させることにより、ベルト部２８ａの内径を狭めるように、使用する。
【００２２】
また、実施形態の場合には、インフレーター４の吐出口側端部１２には、外周面における隆起部２６から離れた部位に、周方向に沿って突起２５が設けられて、隆起部２６と突起２５との間の支持面部２４に、凹溝２７を形成している。そして、クランプ２８のベルト部２８ａの幅寸法が、凹溝２７の部位の外周面にエアバッグ１のガス流入口部３を外装させた状態で、凹溝２７に嵌まる寸法としている。
【００２３】
この実施形態のエアバッグ装置Ｍでは、インフレーター４の吐出口側端部１２を、エアバッグ１のガス流入口部３に挿入させ、ガス流入口部３の外周からクランプ２８で締め付けて、ガス流入口部３の内周面３ａを支持面部２４の外周面２４ａ側に圧接させれば、エアバッグ１とインフレーター４とを接続させることができる。
【００２４】
そして、接続後、インフレーター４が作動すれば、ガス吐出口２０の外周面側開口２１がエアバッグ１のガス流口部３の内周面３ａで塞がれていることから、インフレーター４の吐出口側端部１２が内部に膨張用ガスＧをインフレーター４の軸直交方向Ｙに流す案内部１３を備えていても、膨張用ガスＧは、開口されているガス吐出口２０の端面側開口２２から吐出されて、インフレーター４の軸方向Ｘに沿って、すなわち、ガス流入口部３の軸方向に沿って流れるガスＧＸとなって、エアバッグ１の本体部２内に円滑に流入することとなる。
【００２５】
そして、エアバッグ１のガス流入口部３を接続させる前では、インフレーター４が、仮に、ガス吐出口２０から膨張用ガスＧを吐出させても、ガス吐出口２０の外周面側開口２１がエアバッグ１のガス流入口部３の内周面３ａで塞がれている訳ではないことから、膨張用ガスＧは、案内部１３によって、各ガス吐出口２０の外周面側開口２１からインフレーター４の軸直交方向Ｙに沿う流れのガスＧＹとなって、吐出され、インフレーター４に推力は生じない。
【００２６】
したがって、実施形態のエアバッグ装置Ｍでは、ディフューザーを使用することなく、クランプ２８を使用するだけで、インフレーター４とエアバッグ１とを接続させることができて、両者の接続作業が容易となり、勿論、エアバッグ１の接続前に、仮にインフレーター４が作動しても、インフレーター４自体に推力は生じない。
【００２７】
そして、実施形態では、インフレーター４の吐出口側端部１２における支持面部２４の端面側に、インフレーター４の軸直交方向Ｙに隆起する隆起部２６を配設して、クランプ２８は、インフレーター４の軸方向Ｘに沿った隆起部２６の内側近傍に配置させて、ガス流入口部３をインフレーター２に接続させている。そのため、隆起部２６が、ガス流入口部３を介在させた状態で、インフレーター４からのクランプ２８の抜け止めを図ることができて、エアバッグ１とインフレーター４との接続強度を向上させることができる。
【００２８】
特に、実施形態の場合には、クランプ２８のベルト部２８ａが、ガス流入口部３を介在させて、凹溝２７に嵌まることとなって、クランプ２８が、インフレーター４の軸方向に沿う前後両側に移動し難いことから、一層、エアバッグ１とインフレーター４との接続強度を向上させることができる。
【００２９】
なお、実施形態では、隆起部２６として、支持面部２４の外周面に設けた突起とした場合を示したが、端面１２ｂ側にかけて拡径するようなテーパ面から形成してもよい。
【００３０】
また、実施形態では、案内部１３を金属ブロックから切削加工等によって形成した一体物としたが、容易に製造できるように、図５・６に示すインフレーター４Ａの案内部１３Ａのように、ハウジング５に固着される元部１３ａと凹溝１７を配設させた先端部１３ｂとの二部品から構成して、相互に、溶接等により接合させて構成してもよい。
【００３１】
さらに、実施形態では、六個のガス吐出口２０を配設させた場合を示したが、放射状に配設されていれば、図７・８に示すインフレーター４Ｂのように、四個のガス吐出口２０を配設させていてもよく、ガス吐出口２０の数は、本発明の効果が達成できれば、特に限定されず、例えば、３〜８個の間で任意の数で配設できる。また、貫通孔１８の数についても同様であり、実施形態や変形例に限定されるものでなく、貫通孔１８の開口形状も、実施形態の円形に限られるものでなく、例えば、矩形等であってもよい。さらに、貫通孔１８が設けられている凹溝１７の底面１７ａも、実施形態のような平面に限るものでなく、例えば、弧面としていてもよい。さらにまた、ガス吐出口２０を形成する凹溝１７としても、端部１２の外周面１２ａの周方向に沿う幅寸法や軸方向に沿う長さ寸法、あるいは、深さ寸法も、特に限定されない。
【００３２】
なお、実施形態のインフレーター４では、エアバッグ１に送り込む膨張用ガスの量を貫通孔１８によって調整している。したがって、ガス吐出口２０の総開口面積よりも貫通孔１８の総開口面積を小さく設定している。このガス吐出口２０の総開口面積とは、図３で表される端面側開口２２の半径方向断面積の総計（図３においては、６個の端面側開口２２があり、その総計）をいう。勿論、エアバッグ１に送り込む膨張用ガスの流量調整は、貫通孔１８以外の部分で行なってもよい。
【００３３】
また、実施形態では、頭部保護用のエアバッグ装置を例に取り説明したが、エアバッグが、筒状のガス流入口部を備えて、そのガス流入口部をシリンダタイプのインフレーターと接続させるエアバッグ装置であれば、シートに取り付けられて、乗員の腹部や胸部を保護するシート用エアバッグ装置や、車両の前部に取り付けられて歩行者を保護する歩行者保護用のエアバッグ装置、あるいは、運転席用エアバッグ装置、助手席用エアバッグ装置、エアベルト等に、適用することができる。
【図面の簡単な説明】
【００３４】
【図１】本発明の一実施形態のエアバッグ装置におけるエアバッグとインフレーターとの接続状態を示す説明図である。
【図２】実施形態のエアバッグとインフレーターとの接続部位の拡大断面図であり、図３のII−II部位に対応する。
【図３】実施形態のインフレーターにおける吐出口側端部側を端面側から見た図である。
【図４】実施形態の各部品の要部を示す部分斜視図である。
【図５】他の実施形態のエアバッグとインフレーターとの接続部位の拡大断面図であり、図６のＶ−Ｖ部位に対応する。
【図６】図５に示すインフレーターにおける吐出口側端部側を端面側から見た図である。
【図７】さらに他の実施形態のエアバッグとインフレーターとの接続部位の拡大断面図であり、図８のVII−VII部位に対応する。
【図８】図７に示すインフレーターにおける吐出口側端部側を端面側から見た図である。
【符号の説明】
【００３５】
１…エアバッグ、
３…ガス流入口部、
４・４Ａ・４Ｂ…インフレーター、
１２…吐出口側端部、
１２ａ…外周面、
１２ｂ…端面、
１３・１３Ａ…案内部、
２０…ガス吐出口、
２１…外周面側開口
２２…端面側開口、
２４…支持面部、
２８…クランプ、
Ｘ…（インフレーターの）軸方向、
Ｙ…（インフレーターの）軸直交方向、
Ｇ…膨張用ガス、
Ｍ…エアバッグ装置。                                                                       
【図１】
2005104270.tif 000003
【図２】
2005104270.tif 000004
【図３】
2005104270.tif 000005
【図４】
2005104270.tif 000006
【図５】
2005104270.tif 000007
【図６】
2005104270.tif 000008
【図７】
2005104270.tif 000009
【図８】
2005104270.tif 000010